(57)【特許請求の範囲】
【請求項１】
吹出口（１５）から吹き出される吹出空気の流れを、その流れのそばにあってその流れと異なる方向の面に沿った方向へ気体が流れようとする現象であるコアンダ効果を利用して所定の方向へ誘導するコアンダ効果利用モードを有する空調室内機であって、
空気調和された空気を前記吹出口（１５）まで導くスクロール（１７）と、
前記吹出口（１５）の近傍に設けられ、前記コアンダ効果利用モードにおいて前記吹出空気を前記コアンダ効果により風向変更して自己の下面（３２ａ）に沿わせたコアンダ気流にするコアンダ羽根（３２）と、
前記コアンダ羽根（３２）の姿勢を制御する制御部（４０）と、
を備え、
前記スクロール（１７）の終端部の接線は下向きであり、
前記コアンダ羽根（３２）の前記下面（３２ａ）には、半径が５０ｍｍ以上３００ｍｍ以下で凸状に湾曲する湾曲面（３２０）が形成されており、
前記制御部（４０）は、前記コアンダ効果利用モードにおいて、前記コアンダ羽根（３２）を前記吹出口（１５）から離れるにしたがってケーシング前面部から離れる姿勢へ調整し、さらに、前記コアンダ羽根（３２）の先端部が上向きとなるように前記コアンダ羽根（３２）の姿勢を調整し、
所定の前記コアンダ効果利用モードにおいて、前記コアンダ羽根（３２）の先端部は水平より前方上向で前記吹出口（１５）よりも外側上方に位置し、前記コアンダ羽根（３２）の後端部の高さ位置は運転停止時よりも低くなる、
空調室内機（１０）。
【請求項２】
前記制御部（４０）は、前記コアンダ効果利用モードにおいて、前記コアンダ羽根（３２）の先端部が天井向きとなるように前記コアンダ羽根（３２）の姿勢を調整する、
請求項１に記載の空調室内機（１０）。
【請求項３】
前記制御部（４０）は、前記コアンダ羽根（３２）の先端部を天井向きにする際に、前記コアンダ羽根（３２）の先端部が前記吹出口（１５）の上壁よりも上に位置するように姿勢を調整する、
請求項２に記載の空調室内機（１０）。
【請求項４】
前記コアンダ羽根（３２）が前記コアンダ気流を発生させない通常モードをさらに有する請求項１に記載の空調室内機であって、
前記ケーシング前面部に前記コアンダ羽根（３２）が収容される収容部（１３０）が形成されており、
前記通常モードでは、前記コアンダ羽根（３２）が前記収容部（１３０）に収容され、前記ケーシング前面部と前記コアンダ羽根（３２）の前記湾曲面（３２０）とは１つの連続的な仮想曲面上に並ぶように湾曲している、
空調室内機（１０）。
【請求項５】
前記コアンダ羽根（３２）の前記湾曲面（３２０）は、湾曲度合いの異なる複数の湾曲面で形成されている、
請求項１に記載の空調室内機（１０）。
【請求項６】
前記吹出空気の上下方向を変更する可動の風向調整羽根（３１）をさらに備え、
前記制御部（４０）は、前記コアンダ気流の向きを変更するとき前記風向調整羽根（３１）及び前記コアンダ羽根（３２）の姿勢を制御する、
請求項１に記載の空調室内機（１０）。
【請求項７】
前記制御部（４０）は、前記コアンダ効果利用モードにおいて、前記コアンダ羽根（３２）の後端部が下向き、先端部が上向きとなるように前記コアンダ羽根（３２）の姿勢を調整する、
請求項１に記載の空調室内機（１０）。
【発明の詳細な説明】
【技術分野】
【０００１】
本発明は、空調室内機に関する。
【背景技術】
【０００２】
近年、コアンダ効果を利用して吹出空気を所定ゾーンへ到達させる空気調和機が検討されるようになった。例えば、特許文献１（特開２００３−２３２５３１）に開示されている空気調和機は、吹出口の前面で且つ吹出空気の通り道に横ルーバが配置された構成である。吹出空気は、コアンダ効果によって横ルーバに沿った上向きのコアンダ気流となる。
【発明の概要】
【発明が解決しようとする課題】
【０００３】
この上向きのコアンダ気流は、ケーシング前面部に沿って吸込口に引き込まれる、いわゆるショートサーキットを引き起こす要因となるので、この空気調和機では導風板によってコアンダ気流を斜め上方へ矯正する必要がある。
【０００４】
それゆえ、上記のような導風板がなくともショートサーキットを回避したコアンダ気流を発生させる構成が望まれている。
【０００５】
本願発明の課題は、従来品のような導風板がなくともショートサーキットを回避する方向へ進むコアンダ気流を発生させることができる空調室内機を提供することにある。
【課題を解決するための手段】
【０００６】
本発明の第１観点に係る空調室内機は、吹出口から吹き出される吹出空気の流れを、その流れのそばにあってその流れと異なる方向の面に沿った方向へ気体が流れようとする現象であるコアンダ効果を利用して所定の方向へ誘導するコアンダ効果利用モードを有する空調室内機であって、スクロールと、コアンダ羽根と、制御部とを備える。スクロールは、空気調和された空気を吹出口まで導く。また、スクロールの終端部の接線は下向きである。コアンダ羽根は、吹出口の近傍に設けられ、コアンダ効果利用モードにおいて吹出空気をコアンダ効果により風向変更して自己の下面に沿わせたコアンダ気流にする。制御部は、コアンダ羽根の姿勢を制御する。また、コアンダ羽根の下面には、半径が５０ｍｍ以上３００ｍｍ以下で凸状に湾曲する湾曲面が形成されている。制御部は、コアンダ効果利用モードにおいて、コアンダ羽根を吹出口から離れるにしたがってケーシング前面部から離れる姿勢へ調整する。さらに制御部は、コアンダ効果利用モードにおいて、コアンダ羽根の先端部が上向きとなるようにコアンダ羽根の姿勢を調整する。所定のコアンダ効果利用モードにおいて、コアンダ羽根の先端部は水平より前方上向で吹出口よりも外側上方に位置し、コアンダ羽根の後端部の高さ位置は運転停止時よりも低くなる。
【０００７】
この空調室内機では、コアンダ羽根の姿勢は、吹出口から離れるにしたがってケーシング前面部から離れる姿勢となるので、コアンダ羽根の湾曲面に沿ったコアンダ気流は、ケーシング前面部から離れながら、且つ、上向きに進むことができる。その結果、吹出空気の上吹きを実現し、且つ、ケーシング前面部の上方に吸込口があってもショートサーキットを防止することができる。さらに、コアンダ羽根の下面が凸状に湾曲しているので、コアンダ羽根が平板状である場合と比較して、コアンダ羽根先端部の角度が上向きの角度となり、コアンダ羽根の傾斜角度を急にすることなく、上向きの気流を発生させることができる。それゆえ、コアンダ羽根先端部とケーシング前面部との距離を確保することができ、ショートサーキットを回避したコアンダ気流を発生させることができる。
【０００８】
また、従来の空気調和機は、吹出口の前面で且つ吹出空気の通り道にコアンダ羽根が配置されているので、コアンダ羽根で上向きになったコアンダ気流がケーシング前面部に沿って吸込口に引き込まれないように導風板で斜め上方へ矯正する必要がある。
【０００９】
しかし、この空調室内機では、コアンダ羽根の先端部が上向きになっている。その結果、たとえ、スクロールの終端部の接線が下向きであっても、吹出空気がコアンダ羽根の湾曲面に沿った上向きのコアンダ気流となり、さらに、従来品のような導風板がなくともショートサーキットを回避した気流となる。
【００１０】
また、この空調室内機では、コアンダ気流が湾曲面から剥離することを抑制しつつ、吹出空気の方向からコアンダ気流の方向への偏向度合いを高めることができる。
【００１１】
本発明の第２観点に係る空調室内機は、第１観点に係る空調室内機であって、制御部が、コアンダ効果利用モードにおいて、コアンダ羽根の先端部が天井向きとなるようにコアンダ羽根の姿勢を調整する。
【００１２】
従来の空気調和機は、吹出口の前面で且つ吹出空気の通り道にコアンダ羽根が配置されているので、コアンダ羽根の先端を天井向きにしても、発生したコアンダ気流はショートサーキット防止のため導風板でケーシング前面部から離れる方向へ矯正される必要がある。しかし、この空調室内機では、コアンダ羽根の先端部が天井向きになっているので、コアンダ羽根の湾曲面に沿ったコアンダ気流は、ケーシング前面部から離れながら、且つ、天上向きに進むことができる。その結果、空気の天上吹きを実現し、且つ、ケーシング前面部の上方に吸込口があってもショートサーキットを防止することができる。
【００１３】
本発明の第３観点に係る空調室内機は、第２観点に係る空調室内機であって、制御部が、コアンダ羽根の先端部を天井向きにする際に、コアンダ羽根の先端部が吹出口の上壁よりも上に位置するように姿勢を調整する。
【００１４】
この空調室内機では、コアンダ羽根の先端部が吹出口の最下流側の上壁よりも上方に位置しているので、コアンダ羽根の上側において、風が吹出口の最下流側の下壁に沿って斜め下方に直進することが抑制されるため、コアンダ気流の上方への誘導が阻害されにくい。
【００１５】
本発明の第４観点に係る空調室内機は、第１観点に係る空調室内機であって、コアンダ羽根がコアンダ気流を発生させない通常モードをさらに有する。また、ケーシング前面部には、コアンダ羽根が収容される収容部が形成されている。通常モードでは、コアンダ羽根が収容部に収容され、ケーシング前面部とコアンダ羽根の湾曲面とは１つの連続的な仮想曲面上に並ぶように湾曲している。
【００１６】
この空調室内機では、コアンダ羽根収容時のケーシング前面部の見栄えがよく、意匠性の低下が抑制される。
【００１７】
本発明の第５観点に係る空調室内機は、第１観点に係る空調室内機であって、コアンダ羽根の湾曲面が、湾曲度合いの異なる複数の湾曲面で形成されている。
【００１８】
この空調室内機では、吹出空気の方向からコアンダ気流の方向への偏向度合いを高めるために、１つの湾曲面で一気に偏向しようとすると、コアンダ気流が湾曲面から剥離する可能性がある。しかし、複数の湾曲面で偏向度合いを徐々に高めることによって、コアンダ気流が湾曲面から剥離することを抑制しつつ、吹出空気の方向からコアンダ気流の方向への偏向度合いを高めることができる。
【００１９】
本発明の第６観点に係る空調室内機は、第１観点に係る空調室内機であって、吹出空気の上下方向を変更する可動の風向調整羽根をさらに備えている。制御部は、コアンダ気流の向きを変更するとき風向調整羽根およびコアンダ羽根の姿勢を制御する。
【００２０】
この空調室内機では、風向調整羽根が吹出空気をコアンダ羽根の湾曲面に近づく方向へ風向調整し、コアンダ羽根がその風向調整された吹出空気を自己の湾曲面に沿ったコアンダ気流に変えるので、風向偏向効果が大きい。
【００２１】
本発明の第７観点に係る空調室内機は、第１観点に係る空調室内機であって、制御部が、コアンダ効果利用モードにおいて、コアンダ羽根の後端部が下向き、先端部が上向きとなるようにコアンダ羽根の姿勢を調整する。
【００２２】
この空調室内機では、コアンダ羽根の後端部が下向きであるので、スクロール自体の角度、つまり下向きの角度に近い角度となり、コアンダ羽根に吹出空気が沿いやすくなる。仮に、後端部が上向きならば、スクロール角度とのギャップが大きくなり、コアンダ羽根に吹出空気が沿わなくなる。
【００２３】
また、コアンダ羽根の先端部が上向きで後端部が下向きであるので、風を捕まえるようにコアンダ羽根の後端部で気流を下面に沿わせておき、段々と上向きに曲げていくことが可能となる。
【発明の効果】
【００２４】
本発明の第１観点に係る空調室内機では、吹出空気の上吹きを実現し、且つ、ケーシング前面部の上方に吸込口があってもショートサーキットを防止することができる。さらに、コアンダ羽根先端部とケーシング前面部との距離を確保することができ、ショートサーキットを回避したコアンダ気流を発生させることができる。また、コアンダ気流が湾曲面から剥離することを抑制しつつ、吹出空気の方向からコアンダ気流の方向への偏向度合いを高めることができる。
【００２５】
本発明の第２観点に係る空調室内機では、空気の天上吹きを実現し、且つ、ケーシング前面部の上方に吸込口があってもショートサーキットを防止することができる。
【００２６】
本発明の第３観点に係る空調室内機では、コアンダ羽根の上側において、風が吹出口の最下流側の下壁に沿って斜め下方に直進することが抑制されるため、コアンダ気流の上方への誘導が阻害されにくい。
【００２７】
本発明の第４観点に係る空調室内機では、コアンダ羽根収容時のケーシング前面部の見栄えがよく、意匠性の低下が抑制される。
【００２８】
本発明の第５観点に係る空調室内機では、複数の湾曲面で偏向度合いを徐々に高めることによって、コアンダ気流が湾曲面から剥離することを抑制しつつ、吹出空気の方向からコアンダ気流の方向への偏向度合いを高めることができる。
【００２９】
本発明の第６観点に係る空調室内機では、風向調整羽根が吹出空気をコアンダ羽根の湾曲面に近づく方向へ風向調整し、コアンダ羽根がその風向調整された吹出空気を自己の湾曲面に沿ったコアンダ気流に変えるので、風向偏向効果が大きい。
【００３０】
本発明の第７観点に係る空調室内機では、コアンダ羽根の後端部が下向きであるので、スクロール自体の角度、つまり下向きの角度に近い角度となり、コアンダ羽根に吹出空気が沿いやすくなる。また、風を捕まえるようにコアンダ羽根の後端部で気流を下面に沿わせて、段々と上向きに曲げていくことが可能となる。
【図面の簡単な説明】
【００３１】
【図１】本発明の一実施形態に係る運転停止時の空調室内機の断面図。
【図２】運転時の空調室内機の断面図。
【図３Ａ】吹出空気が通常前吹き時の風向調整羽根およびコアンダ羽根の側面図。
【図３Ｂ】吹出空気が通常前方下吹き時の風向調整羽根およびコアンダ羽根の側面図。
【図３Ｃ】コアンダ気流前方吹き時の風向調整羽根およびコアンダ羽根の側面図。
【図３Ｄ】コアンダ気流天井吹き時の風向調整羽根およびコアンダ羽根の側面図。
【図３Ｅ】下吹き時の風向調整羽根およびコアンダ羽根の側面図。
【図４Ａ】吹出空気の方向およびコアンダ気流の方向を示す概念図。
【図４Ｂ】風向調整羽根とコアンダ羽根との開き角度の一例を表す概念図。
【図５Ａ】コアンダ気流前方吹き時のスクロールの終端Ｆの接線とコアンダ羽根とが成す内角と、スクロールの終端Ｆの接線と風向調整羽根とが成す内角との比較図。
【図５Ｂ】コアンダ気流天井吹き時のスクロールの終端Ｆの接線とコアンダ羽根とが成す内角と、スクロールの終端Ｆの接線と風向調整羽根とが成す内角との比較図。
【図６Ａ】コアンダ羽根が第１姿勢をとるときのコアンダ気流の風向を示す空調室内機設置空間の側面図。
【図６Ｂ】コアンダ羽根が第２姿勢をとるときのコアンダ気流の風向を示す空調室内機設置空間の側面図。
【図６Ｃ】コアンダ羽根が第４姿勢をとるときのコアンダ気流の風向を示す空調室内機設置空間の側面図。
【図７Ａ】制御部とリモコンとの関係を示すブロック図。
【図７Ｂ】「コアンダ風向設定」メニューの下位メニューを表した表示部の正面図。
【図８Ａ】コアンダ羽根が第３姿勢のときの風向調整羽根とコアンダ羽根の側面図。
【図８Ｂ】コアンダ羽根が第５姿勢のときの風向調整羽根とコアンダ羽根の側面図。
【図９】変形例に係る空調室内機のコアンダ羽根の側面図。
【発明を実施するための形態】
【００３２】
以下、図面を参照しながら、本発明の実施形態について説明する。なお、以下の実施形態は、本発明の具体例であって、本発明の技術的範囲を限定するものではない。
【００３３】
（１）空調室内機１０の構成
図１は、本発明の一実施形態に係る運転停止時の空調室内機１０の断面図である。また、図２は、運転時の空調室内機１０の断面図である。図１及び図２において、空調室内機１０は壁掛けタイプであり、本体ケーシング１１、室内熱交換器１３、室内ファン１４、底フレーム１６、及び制御部４０が搭載されている。
【００３４】
本体ケーシング１１は、天面部１１ａ、前面パネル１１ｂ、背面板１１ｃ及び下部水平板１１ｄを有し、内部に室内熱交換器１３、室内ファン１４、底フレーム１６、及び制御部４０を収納している。
【００３５】
天面部１１ａは、本体ケーシング１１の上部に位置し、天面部１１ａの前部には、吸込口（図示せず）が設けられている。
【００３６】
前面パネル１１ｂは室内機の前面部を構成しており、吸込口がないフラットな形状を成している。また、前面パネル１１ｂは、その上端が天面部１１ａに回動自在に支持され、ヒンジ式に動作することができる。
【００３７】
室内熱交換器１３及び室内ファン１４は、底フレーム１６に取り付けられている。室内熱交換器１３は、通過する空気との間で熱交換を行う。また、室内熱交換器１３は、側面視において両端が下方に向いて屈曲する逆Ｖ字状の形状を成し、その下方に室内ファン１４が位置する。室内ファン１４は、クロスフローファンであり、室内から取り込んだ空気を、室内熱交換器１３に当てて通過させた後、室内に吹き出す。
【００３８】
本体ケーシング１１の下部には、吹出口１５が設けられている。吹出口１５には、吹出口１５から吹き出される吹出空気の方向を変更する風向調整羽根３１が回動自在に取り付けられている。風向調整羽根３１は、モータ（図示せず）によって駆動し、吹出空気の方向を変更するだけでなく、吹出口１５を開閉することもできる。風向調整羽根３１は、傾斜角が異なる複数の姿勢をとることが可能である。
【００３９】
また、吹出口１５の近傍にはコアンダ羽根３２が設けられている。コアンダ羽根３２は、モータ（図示せず）によって前後方向に傾斜した姿勢をとることが可能であり、運転停止時に前面パネル１１ｂに設けられた収容部１３０に収容される。コアンダ羽根３２は、傾斜角が異なる複数の姿勢をとることが可能である。
【００４０】
また、吹出口１５は、吹出流路１８によって本体ケーシング１１の内部と繋がっている。吹出流路１８は、吹出口１５から底フレーム１６のスクロール１７に沿って形成されている。
【００４１】
室内空気は、室内ファン１４の稼動によって吸込口、室内熱交換器１３を経て室内ファン１４に吸い込まれ、室内ファン１４から吹出流路１８を経て吹出口１５から吹き出される。
【００４２】
制御部４０は、本体ケーシング１１を前面パネル１１ｂから視て室内熱交換器１３及び室内ファン１４の右側方に位置しており、室内ファン１４の回転数制御、風向調整羽根３１及びコアンダ羽根３２の動作制御を行う。
【００４３】
（２）詳細構成
（２−１）前面パネル１１ｂ
図１に示すように、前面パネル１１ｂは本体ケーシング１１の上部前方からなだらかな円弧曲面を描きながら下部水平板１１ｄの前方エッジに向かって延びている。前面パネル１１ｂの下部に本体ケーシング１１の内側に向かって窪んだ領域がある。この領域の窪み深さはコアンダ羽根３２の厚み寸法に合うように設定されており、コアンダ羽根３２が収容される収容部１３０を成している。収容部１３０の表面もなだらかな円弧曲面である。
【００４４】
（２−２）吹出口１５
図１に示すように、吹出口１５は、本体ケーシング１１の下部に形成されており、横方向（図１紙面と直交する方向）を長辺とする長方形の開口である。吹出口１５の下端は下部水平板１１ｄの前方エッジに接しており、吹出口１５の下端と上端とを結ぶ仮想面は前方上向きに傾斜している。
【００４５】
（２−３）スクロール１７
スクロール１７は、室内ファン１４に対峙するように湾曲した隔壁であり、底フレーム１６の一部である。スクロール１７の終端Ｆは、吹出口１５の周縁近傍まで到達している。吹出流路１８を通る空気は、スクロール１７に沿って進み、スクロール１７の終端Ｆの接線方向に送られる。したがって、吹出口１５に風向調整羽根３１がなければ、吹出口１５から吹き出される吹出空気の風向は、スクロール１７の終端Ｆの接線Ｌ０に概ね沿った方向である。
【００４６】
（２−４）垂直風向調整板２０
垂直風向調整板２０は、図１及び図２に示すように、複数の羽根片２０１と、複数の羽根片２０１を連結する連結棒２０３を有している。また、垂直風向調整板２０は、吹出流路１８において、風向調整羽根３１よりも室内ファン１４近傍に配置されている。
【００４７】
複数枚の羽根片２０１は、連結棒２０３が吹出口１５の長手方向に沿って水平往復移動することによって、その長手方向に対して垂直な状態を中心に左右に揺動する。なお、連結棒２０３は、モータ（図示せず）によって水平往復移動する。
【００４８】
（２−５）風向調整羽根３１
風向調整羽根３１は、吹出口１５を塞ぐことができる程度の面積を有している。風向調整羽根３１が吹出口１５を閉じた状態において、その外側面３１ａは前面パネル１１ｂの曲面の延長上にあるような外側に凸のなだらかな円弧曲面に仕上げられている。また、風向調整羽根３１の内側面３１ｂ（図２参照）も、外面にほぼ平行な円弧曲面を成している。
【００４９】
風向調整羽根３１は、下端部に回動軸３１１を有している。回動軸３１１は、吹出口１５の下端近傍で、本体ケーシング１１に固定されているステッピングモータ（図示せず）の回転軸に連結されている。
【００５０】
回動軸３１１が図１正面視反時計方向に回動することによって、風向調整羽根３１の上端が吹出口１５の上端側から遠ざかるように動作して吹出口１５を開ける。逆に、回動軸３１１が図１正面視時計方向に回動することによって、風向調整羽根３１の上端が吹出口１５の上端側へ近づくように動作して吹出口１５を閉じる。
【００５１】
風向調整羽根３１が吹出口１５を開けている状態において、吹出口１５から吹き出された吹出空気は、風向調整羽根３１の内側面３１ｂに概ね沿って流れる。すなわち、スクロール１７の終端Ｆの接線方向に概ね沿って吹き出された吹出空気は、その風向が風向調整羽根３１によってやや上向きに変更される。
【００５２】
（２−６）コアンダ羽根３２
コアンダ羽根３２は、空調運転が停止している間や後述する通常吹出モードでの運転では収容部１３０に収納されている。コアンダ羽根３２は回動することによって収容部１３０から離れる。コアンダ羽根３２の回動軸３２１は、収容部１３０の下端近傍で且つ本体ケーシング１１の内側の位置（吹出流路１８上壁の上方の位置）に設けられており、コアンダ羽根３２の下端部と回動軸３２１とは所定の間隔を保って連結されている。それゆえ、回動軸３２１が回動してコアンダ羽根３２がケーシング前面部の収容部１３０から離れるほど、コアンダ羽根３２の下端の高さ位置は低くなるように回転する。また、コアンダ羽根３２が回転して開いたときの傾斜はケーシング前面部の傾斜よりも緩やかである。
【００５３】
本実施形態では、収容部１３０は、送風路の外に設けられており、収容時にコアンダ羽根３２の全体が送風路の外側に収容される。かかる構造に代えて、コアンダ羽根３２の一部のみが送風路の外側に収容され、残りが送風路内（たとえば、送風経路の上壁部）に収容されるようにしてもよい。
【００５４】
また、回動軸３２１が図１正面視反時計方向に回動することによって、コアンダ羽根３２の上端および下端ともに円弧を描きながら収容部１３０から離れるが、そのとき、上端と吹出口より上方のケーシング前面部の収容部１３０との最短距離は、下端と収容部１３０との最短距離より大きい。すなわち、コアンダ羽根３２は前方に行くにしたがって前記ケーシング前面部から離れるような姿勢に制御される。そして、回動軸３２１が図１正面視時計方向に回動することによって、コアンダ羽根３２は収容部１３０に近づき、最終的に収容部１３０収容される。コアンダ羽根３２の運転状態の姿勢としては、収容部１３０に収納された状態、回転して前方上向きに傾斜した姿勢、さらに回転してほぼ水平な姿勢、さらに回転して前方下向きに傾斜した姿勢がある。
【００５５】
コアンダ羽根３２が収容部１３０に収容された状態で、コアンダ羽根３２の外側面３２ａは前面パネル１１ｂのなだらかな円弧曲面の延長上にあるような外側に凸のなだらかな円弧曲面に仕上げられている。また、コアンダ羽根３２の内側面３２ｂは、収容部１３０の表面に沿うような円弧曲面に仕上げられている。
【００５６】
また、コアンダ羽根３２の長手方向の寸法は、風向調整羽根３１の長手方向の寸法以上となるように設定されている。この理由は風向調整羽根３１で風向調節された吹出空気すべてをコアンダ羽根３２で受けるためであり、その目的はコアンダ羽根３２の側方からの吹出空気がショートサーキットすることを防止することである。
【００５７】
（３）吹出空気の方向制御
本実施形態の空調室内機は、吹出空気の方向を制御する手段として、風向調整羽根３１のみを回動させて吹出空気の方向を調整する通常吹出モードと、風向調整羽根３１及びコアンダ羽根３２を回動させてコアンダ効果によって吹出空気をコアンダ羽根３２の外側面３２ａに沿わせたコアンダ気流にするコアンダ効果利用モードと、風向調整羽根３１及びコアンダ羽根３２それぞれの先端を前方下向きにして吹出空気を下方に導く下吹きモードを有している。
【００５８】
風向調整羽根３１及びコアンダ羽根３２は、上記各モードにおいて空気の吹出方向ごとに姿勢が変化するので、各姿勢について図３Ａ〜図３Ｅを参照しながら説明する。なお、吹出方向の選択は、ユーザーがリモコン等を介して行なうことができるものとする。また、モードの変更や吹出方向は自動的に変更されるように制御することも可能である。
【００５９】
（３−１）通常吹出モード
通常吹出モードは、風向調整羽根３１のみを回動させて吹出空気の方向を調整するモードであり、「通常前吹き」と「通常前方下吹き」とを含む。
【００６０】
（３−１−１）通常前吹き
図３Ａは、吹出空気が通常前吹き時の風向調整羽根３１及びコアンダ羽根３２の側面図である。図３Ａにおいて、ユーザーが「通常前吹き」を選択したとき、制御部４０は風向調整羽根３１の内側面３１ｂが略水平になる位置まで風向調整羽根３１を回動させる。なお、本願実施形態のように風向調整羽根３１の内側面３１ｂが円弧曲面をなしている場合は、内側面３１ｂの前方端Ｅ１における接線が略水平になるまで風向調整羽根３１を回動させる。その結果、吹出空気は、前吹き状態となる。
【００６１】
（３−１−２）通常前方下吹き
図３Ｂは、吹出空気が通常前方下吹き時の風向調整羽根３１及びコアンダ羽根３２の側面図である。図３Ｂにおいて、ユーザーは吹出方向を「通常前吹き」よりも下方に向けたいとき、「通常前方下吹き」を選択すればよい。
【００６２】
このとき、制御部４０は、風向調整羽根３１の内側面３１ｂの前方端Ｅ１における接線が水平よりも前下がりになるまで風向調整羽根３１を回動させる。その結果、吹出空気は、前方下吹き状態となる。
【００６３】
（３−２）コアンダ効果利用モード
コアンダ（効果）とは、気体や液体の流れのそばに壁があると、流れの方向と壁の方向とが異なっていても、壁面に沿った方向に流れようとする現象である（朝倉書店「法則の辞典」）。コアンダ利用モードは、このコアンダ効果を利用した「コアンダ気流前方吹き」および「コアンダ気流天井吹き」を含む。
【００６４】
また、吹出空気の方向およびコアンダ気流の方向については、基準位置の取り方次第で定義の方法が異なるので、以下に一例を示す、但し、それに限定されるものではない。図４Ａは、吹出空気の方向およびコアンダ気流の方向を示す概念図である。図４Ａにおいて、コアンダ羽根３２の外側面３２ａ側にコアンダ効果を生じさせるには、風向調整羽根３１によって変更された吹出空気の方向（Ｄ１）の傾斜がコアンダ羽根３２の姿勢（傾斜）に近くなる必要がある。両者が離れすぎているとコアンダ効果が生じない。そのため、本コアンダ効果利用モードでは、コアンダ羽根３２と風向調整羽根３１とが所定の開き角度以下になる必要があり、両調整板（３１、３２）がその範囲内を成すようにして、上記の関係が成立するようにしている。これにより、図４Ａに示すように、吹出空気の風向が風向調整羽根３１によってＤ１に変更された後、さらにコアンダ効果によりＤ２に変更される。
【００６５】
また、本実施形態のコアンダ効果利用モードでは、コアンダ羽根３２が風向調整羽根３１の前方（吹出の下流側）かつ上方の位置あるのが好ましい。
【００６６】
また、風向調整羽根３１とコアンダ羽根３２との開き角度については、基準位置の取り方次第で定義の方法が異なるので、以下に一例を示す。但し、それに限定されるものではない。図４Ｂは、風向調整羽根３１とコアンダ羽根３２との開き角度の一例を表す概念図である。図４Ｂにおいて、風向調整羽根３１の内側面３１ｂの前後端を結ぶ直線と水平線との角度を風向調整羽根３１の傾斜角θ１とし、コアンダ羽根３２の外側面３２ａの前後端を結ぶ直線と水平線との角度をコアンダ羽根３２の傾斜角θ２としたとき、風向調整羽根３１とコアンダ羽根３２との開き角度θ＝θ２−θ１である。なお、θ１及びθ２は絶対値ではなく、図４Ｂ正面視において水平線よりも下方となる場合は負の値である。
【００６７】
「コアンダ気流前方吹き」および「コアンダ気流天井吹き」ともに、風向調整羽根３１およびコアンダ羽根３２は、スクロール１７の終端Ｆの接線とコアンダ羽根３２とが成す内角が、スクロール１７の終端Ｆの接線と風向調整羽根３１とが成す内角よりも大きい、という条件を満たす姿勢をとるのが好ましい。
【００６８】
なお、内角については、図５Ａ（コアンダ気流前方吹き時のスクロール１７の終端Ｆの接線Ｌ０とコアンダ羽根３２とが成す内角Ｒ２と、スクロール１７の終端Ｆの接線Ｌ０と風向調整羽根３１とが成す内角Ｒ１との比較図）、および図５Ｂ（コアンダ気流天井吹き時のスクロール１７の終端Ｆの接線Ｌ０とコアンダ羽根３２とが成す内角Ｒ２と、スクロール１７の終端Ｆの接線Ｌ０と風向調整羽根３１とが成す内角Ｒ１との比較図）を参照のこと。
【００６９】
また、図５Ｂに示すように、コアンダ効果利用モードにおけるコアンダ羽根３２では、コアンダ羽根３２の先端部が水平より前方上向で、吹出口１５よりも外側上方に位置する。その結果、コアンダ気流はより遠方に到達する上に、コアンダ羽根３２の上側において、風がスクロール１７に沿って斜め下方に直進することが抑制されるため、コアンダ気流の上方への誘導が阻害されにくくなる。
【００７０】
また、コアンダ羽根３２の後端部の高さ位置は運転停止時よりも低くなっているので、上流側でのコアンダ効果によるコアンダ気流が生成し易い。
【００７１】
（３−２−１）コアンダ気流前方吹き
図３Ｃは、コアンダ気流前方吹き時の風向調整羽根３１及びコアンダ羽根３２の側面図である。図３Ｃにおいて、「コアンダ気流前方吹き」が選択されたとき、制御部４０は、風向調整羽根３１の内側面３１ｂの前方端Ｅ１における接線Ｌ１が水平よりも前下がりになるまで風向調整羽根３１を回動させる。
【００７２】
次に、制御部４０は、コアンダ羽根３２の外側面３２ａが略水平になる位置までコアンダ羽根３２を回動させる。なお、本願実施形態のようにコアンダ羽根３２の外側面３２ａが円弧曲面をなしている場合は、外側面３２ａの前方端Ｅ２における接線Ｌ２が略水平になるまでコアンダ羽根３２を回動させる。つまり、図５Ａに示すように、接線Ｌ０と接線Ｌ２とが成す内角Ｒ２は、接線Ｌ０と接線Ｌ１とが成す内角Ｒ１よりも大きくなる。
【００７３】
風向調整羽根３１で前方下吹きに調整された吹出空気は、コアンダ効果によってコアンダ羽根３２の外側面３２ａに付着した流れとなり、この外側面３２ａに沿ったコアンダ気流に変わる。
【００７４】
したがって、風向調整羽根３１の前方端Ｅ１における接線Ｌ１方向が前方下吹きであっても、コアンダ羽根３２の前方端Ｅ２における接線Ｌ２方向が水平であるので、吹出空気は、コアンダ効果によってコアンダ羽根３２の外側面３２ａの前方端Ｅ２における接線Ｌ２方向、すなわち水平方向に吹き出される。
【００７５】
このように、コアンダ羽根３２がケーシング前面部から離れて傾斜が緩やかになり、吹出空気が前面パネル１１ｂよりも前方でコアンダ効果を受け易くなる。その結果、風向調整羽根３１で風向調節された吹出空気が前方下吹きであっても、コアンダ効果によって水平吹きの空気となる。これは、風向調整羽根３１の通風抵抗による圧損が抑制されつつ風向が変更されることを意味する。
【００７６】
（３−２−２）コアンダ気流天井吹き
図３Ｄは、コアンダ気流天井吹き時の風向調整羽根３１及びコアンダ羽根３２の側面図である。図３Ｄにおいて、「コアンダ気流天井吹き」が選択されたとき、制御部４０は風向調整羽根３１の内側面３１ｂの前方端Ｅ１における接線Ｌ１が水平になるまで風向調整羽根３１を回動させる。
【００７７】
次に、制御部４０は、外側面３２ａの前方端Ｅ２における接線Ｌ２が前方上向きとなるまでコアンダ羽根３２を回動させる。つまり、図５Ｂに示すように、接線Ｌ０と接線Ｌ２とが成す内角Ｒ２は、接線Ｌ０と接線Ｌ１とが成す内角Ｒ１よりも大きくなる。風向調整羽根３１で水平吹きに調整された吹出空気は、コアンダ効果によってコアンダ羽根３２の外側面３２ａに付着した流れとなり、この外側面３２ａに沿ったコアンダ気流に変わる。
【００７８】
したがって、風向調整羽根３１の前方端Ｅ１における接線Ｌ１方向が前方吹きであっても、コアンダ羽根３２の前方端Ｅ２における接線Ｌ２方向が前方上吹きであるので、吹出空気は、コアンダ効果によってコアンダ羽根３２の外側面３２ａの前方端Ｅ２における接線Ｌ２方向、すなわち天井方向に吹き出される。コアンダ羽根３２の先端部は吹出口１５より外側に突出しているので、コアンダ気流はより遠方に到達する。さらに、コアンダ羽根３２の先端部は吹出口１５よりも上方に位置しているので、コアンダ羽根３２の上側において、風がスクロール１７に沿って斜め下方に直進することが抑制されるため、コアンダ気流の上方への誘導が阻害されにくい。
【００７９】
このように、コアンダ羽根３２がケーシング前面部から離れて傾斜が緩やかになり、吹出空気が前面パネル１１ｂよりも前方でコアンダ効果を受け易くなる。その結果、風向調整羽根３１で風向調節された吹出空気が前方吹きであっても、コアンダ効果によって上向きの空気となる。これは、風向調整羽根３１の通風抵抗による圧損が抑制されつつ風向が変更されることを意味する。
【００８０】
その結果、吹出口１５が開き気味のまま、吹出空気が天井方向へ誘導される。つまり、通風抵抗が低く保たれた状態で吹出空気が天井方向へ誘導される。
【００８１】
なお、コアンダ羽根３２の長手方向の寸法は、風向調整羽根３１の長手方向の寸法以上である。それゆえ、風向調整羽根３１で風向調節された吹出空気すべてをコアンダ羽根３２で受けることができ、コアンダ羽根３２の側方から吹出空気がショートサーキットすることが防止されるという効果も奏している。
【００８２】
（３−３）下吹きモード
図３Ｅは、下吹き時の風向調整羽根３１及びコアンダ羽根３２の側面図である。図３Ｅにおいて、「下吹き」が選択されたとき、制御部４０は風向調整羽根３１の内側面３１ｂの前方端Ｅ１における接線が下向きなるまで風向調整羽根３１を回動させる。
【００８３】
次に、制御部４０は、外側面３２ａの前方端Ｅ２における接線が下向きとなるまでコアンダ羽根３２を回動させる。その結果、吹出空気は、風向調整羽根３１とコアンダ羽根３２との間を通過し、下向きに吹き出される。
【００８４】
特に、風向調整羽根３１がスクロール１７の終端部の接線角度より下向きになったときでも、制御部４０が下吹きモードを実行することによって、コアンダ羽根３２の外側面３２ａに当てて下向きの気流を生成することができる。
【００８５】
（４）動作
上記のような吹出空気の方向制御を利用した空調室内機の動作について、以下、図面を参照しながら説明する。
【００８６】
（４−１）コアンダ羽根３２の第１姿勢
図６Ａは、コアンダ羽根３２が第１姿勢をとるときのコアンダ気流の風向を示す空調室内機設置空間の側面図である。図６Ａにおいて、空調室内機１０は室内側壁の上方に設置されている。コアンダ羽根３２は、収納部１３０に収納されている状態（以後、第１姿勢とよぶ）である。コアンダ羽根３２が第１姿勢のときに風向調整羽根３１の姿勢を水平よりも上向きにすることによって、風向調整羽根３１の内側面３１ｂで風向調整された吹出空気がその内側面３１ｂを離れた後、コアンダ羽根３２の外側面３２ａに引っ張られるように方向を変え、第１コアンダ気流となってコアンダ羽根３２の外側面３２ａおよび前面パネル１１ｂに沿うように流れる。
【００８７】
この第１姿勢は、ショートサーキットを形成させたいときに選択される。その目的は、公知文献（特開平１０−９６５９号公報）にも開示されているように、冷風感を生じさせることなく室内を除湿することである。
【００８８】
ここで、ユーザーがコアンダ気流を選択する方法について説明する。図７Ａは、制御部４０とリモコン５０との関係を示すブロック図である。図７Ａにおいて、リモコン５０は赤外線信号を無線で送信する。リモコン５０には、風向を切り換えるための切換手段を有している。具体的には、ユーザーが風向を選択できるように、風向選択メニューを表示する表示部５２と、各風向選択メニューを指定するためのカーソル５２ａを有している。
【００８９】
先ず、ユーザーは、表示部５２に表示されたメニューの中から「コアンダ風向設定」をカーソル５２ａで選択する。なお、リモコン５０によるメニューの選択および確定するための技術は広く公開されているので詳細な説明は省略する。
【００９０】
図７Ｂは、「コアンダ風向設定」メニューの下位メニューを表した表示部５２の正面図である。図７Ｂにおいて、「コアンダ風向設定」メニューの下位メニューには、第１〜第５コアンダ角度が予め準備されており、カーソル５２ａで第１コアンダ角度を指定して確定することによって、コアンダ羽根３２は図６Ａに示す第１姿勢をとり、第１コアンダ角度に応じた第１の向きのコアンダ気流が発生する。
【００９１】
（４−２）コアンダ羽根３２の第２姿勢および第３姿勢
次に、図６Ｂは、コアンダ羽根３２が第２姿勢をとるときのコアンダ気流の風向を示す空調室内機設置空間の側面図である。図６Ｂにおけるコアンダ羽根３２の第２姿勢は、図７Ｂにおいてカーソル５２ａで第２コアンダ角度を指定し確定することによって成し得る。コアンダ羽根３２が第２姿勢のときに発生するコアンダ気流は、「（３−２−２）コアンダ気流天井吹き」の段で説明したコアンダ気流に相当する。第２コアンダ角度が選択されたとき、図３Ｄに示すように、制御部４０は風向調整羽根３１の内側面３１ｂの前方端Ｅ１における接線Ｌ１が水平になるまで風向調整羽根３１を回動させ、次に、外側面３２ａの前方端Ｅ２における接線Ｌ２が前方上向きとなるまでコアンダ羽根３２を回動させる。したがって、風向調整羽根３１の前方端Ｅ１における接線Ｌ１方向が前方吹きであっても、コアンダ羽根３２の前方端Ｅ２における接線Ｌ２方向が前方上吹きであるので、吹出空気は、コアンダ効果によってコアンダ羽根３２の外側面３２ａの前方端Ｅ２における接線Ｌ２方向、すなわち天井方向に吹き出される。
【００９２】
なお、一旦、コアンダ気流が発生すると、風向調整羽根３１を動かさずにコアンダ羽根３２の角度のみを変動させてコアンダ気流の風向を調整することができる。例えば、図８Ａは、コアンダ羽根３２が第３姿勢のときの風向調整羽根３１とコアンダ羽根３２の側面図である。図８Ａにおいて、コアンダ羽根３２の第３姿勢は第２姿勢よりも下向きである。なお、図８Ａでは、比較のために第２姿勢のコアンダ羽根３２を２点鎖線で、第３姿勢のコアンダ羽根３２を実線で描いている。
【００９３】
第２姿勢でコアンダ気流が確実に発生し、且つ、風向調整羽根３１の姿勢が変わらないとすれば、第２姿勢よりも下向きである第３姿勢でコアンダ気流がコアンダ羽根３２の外側面３２ａから剥離しないことは明らかである。このように、コアンダ気流天井吹きを実施したいときは、図７Ｂにおいてカーソル５２ａで第２コアンダ角度、若しくは第３コアンダ角度を選択することによって成し得る。
【００９４】
コアンダ羽根３２の第２姿勢および第３姿勢では、風向調整羽根３１によって吹出空気がコアンダ羽根３２の湾曲面３２０に近づく方向へ風向調整され、コアンダ羽根３２がその風向調整された吹出空気を自己の湾曲面３２０に沿ったコアンダ気流に変えるので、風向偏向効果が大きい。
【００９５】
また、第２姿勢および第３姿勢では、コアンダ羽根３２の先端部は天井向きになっているので、コアンダ羽根３２の湾曲面３２０に沿ったコアンダ気流は、前面パネル１１ｂから離れながら、且つ、天上向きに進むことができる。この場合は、本体ケーシング１１の前面上方に吸込口があってもショートサーキットを防止することができる。
【００９６】
他方、コアンダ羽根３２の後端部は下向きであるので、スクロール１７自体の角度、つまり下向きの角度に近い角度となり、コアンダ羽根３２に吹出空気が沿いやすくなる。なお、仮に後端部が上向きならば、スクロール角度とのギャップが大きくなり、コアンダ羽根に吹出空気が沿わなくなる。
【００９７】
さらに、コアンダ羽根３２の先端部が上向きで後端部が下向きであるので、風を捕まえるようにコアンダ羽根３２の後端部で気流を外側面３２ａに沿わせておき、段々と上向きに曲げていくことが可能となる。
【００９８】
本実施形態では、コアンダ羽根３２の第２姿勢および第３姿勢は、調和空気を遠方に飛ばしたいときに選択されることを想定している。例えば、吹出口１５から天井までの高さ距離、および吹出口１５からその対面壁までの対面距離がともに大きい場合は、コアンダ羽根３２の姿勢は第２姿勢が好ましい。他方、吹出口１５から天井までの高さ距離は小さいが、吹出口１５からその対面壁までの対面距離が大きい場合などはコアンダ羽根３２の姿勢は第３姿勢が好ましい。このようにユーザーは、リモコン５０を介して室内空間の大きさに応じてコアンダ羽根３２の姿勢を選択することができるので、使い勝手がよい上に、調和空気を空調対象空間に均一に行き渡らせることが可能となる。
【００９９】
（４−２−１）コアンダ羽根３２の形状について
コアンダ羽根３２の形状について、コアンダ羽根３２の外側面３２ａは、凸状に湾曲している形状であっても、平面形状であってもよいが、以下の点で、外側面３２ａは凸状に湾曲していることが好ましい。
【０１００】
図８Ａにおいて、コアンダ羽根３２の外側面３２ａは、凸状に湾曲して湾曲面３２０を形成している。コアンダ羽根３２の姿勢は、吹出口１５から離れるにしたがって前面パネル１１ｂから離れる姿勢となるので、コアンダ羽根３２の湾曲面３２０に沿ったコアンダ気流は、前面パネル１１ｂから離れながら、且つ、上向きに進むことができる。また、コアンダ羽根３２先端部の角度が上向きの角度となり、コアンダ羽根の傾斜角度を急にすることなく、上向きの気流を発生させることができる。
【０１０１】
また、スクロール１７の終端部の接線が下向きであっても、吹出空気がコアンダ羽根３２の湾曲面３２０に沿った上向きのコアンダ気流となる。
【０１０２】
また、前面パネル１１ｂとコアンダ羽根３２の湾曲面３２０とは１つの連続的な仮想曲面上に並ぶように湾曲させることによって、コアンダ羽根３２収容時のケーシング前面部の見栄えがよくなる。
【０１０３】
（４−３）コアンダ羽根３２の第４姿勢および第５姿勢
さらに、図６Ｃは、コアンダ羽根３２が第４姿勢をとるときのコアンダ気流の風向を示す空調室内機設置空間の側面図である。図６Ｃにおけるコアンダ羽根３２の第４姿勢は、図７Ｂにおいてカーソル５２ａで第４コアンダ角度を指定し確定することによって成し得る。コアンダ羽根３２が第４姿勢のときに発生するコアンダ気流は、「（３−２−１）コアンダ気流前方吹き」の段で説明したコアンダ気流に相当する。第４コアンダ角度が選択されたとき、図３Ｃに示すように、制御部４０は、風向調整羽根３１の内側面３１ｂの前方端Ｅ１における接線Ｌ１が水平よりも前下がりになるまで風向調整羽根３１を回動させ、次に、コアンダ羽根３２の外側面３２ａが略水平になる位置までコアンダ羽根３２を回動させる。したがって、風向調整羽根３１の前方端Ｅ１における接線Ｌ１方向が前方下吹きであっても、コアンダ羽根３２の前方端Ｅ２における接線Ｌ２方向が水平であるので、吹出空気は、コアンダ効果によってコアンダ羽根３２の外側面３２ａの前方端Ｅ２における接線Ｌ２方向、すなわち水平方向に吹き出される。
【０１０４】
なお、一旦、コアンダ気流が発生すると、風向調整羽根３１を動かさずにコアンダ羽根３２の角度のみを変動させてコアンダ気流の風向を調整することができる。例えば、図８Ｂは、コアンダ羽根３２が第５姿勢のときの風向調整羽根３１とコアンダ羽根３２の側面図である。図８Ｂにおいて、コアンダ羽根３２の第５姿勢は第４姿勢よりも下向きである。なお、図８Ｂでは、比較のために比較のために第４姿勢のコアンダ羽根３２を２点鎖線で、第５姿勢のコアンダ羽根３２を実線で描いている。
【０１０５】
第４姿勢でコアンダ気流が確実に発生し、且つ、風向調整羽根３１の姿勢が変わらないとすれば、第４姿勢よりも下向きである第５姿勢でコアンダ気流がコアンダ羽根３２の外側面３２ａから剥離しないことは明らかである。このように、コアンダ気流前方吹きを実施したいときは、図７Ｂにおいてカーソル５２ａで第４コアンダ角度、若しくは第５コアンダ角度を選択することによって成し得る。
【０１０６】
なお、上記の説明で明らかなように、コアンダ羽根３２の第１姿勢、第２姿勢および第４姿勢それぞれに対して風向調整羽根３１の姿勢が異なる。言い換えると、コアンダ羽根３２によるコアンダ気流は、風向調整羽根３１の姿勢とコアンダ羽根３２の姿勢との組み合わせによって如何なる方向にも仕向けることができる。
【０１０７】
（５）特徴
（５−１）
空調室内機１０では、コアンダ羽根３２の外側面３２ａには、凸状に湾曲する湾曲面３２０が形成されている。コアンダ羽根３２の姿勢は、吹出口１５から離れるにしたがってケーシング前面部から離れる姿勢となるので、コアンダ羽根３２の湾曲面３２０に沿ったコアンダ気流は、ケーシング前面部から離れながら、且つ、上向きに進むことができる。コアンダ羽根３２が平板状である場合と比較して、コアンダ羽根３２先端部の角度が上向きの角度となり、コアンダ羽根３２の傾斜角度を急にすることなく、上向きの気流を発生させることができる。
【０１０８】
（５−２）
空調室内機１０では、スクロールの終端部の接線は下向きである。他方、コアンダ羽根３２の先端部が上向きになっている。それゆえ、たとえ、スクロール１７の終端部の接線が下向きであっても、吹出空気がコアンダ羽根３２の湾曲面３２０に沿った上向きのコアンダ気流となる。
【０１０９】
（５−３）
空調室内機１０では、制御部４０は、コアンダ効果利用モードにおいて、コアンダ羽根３２の先端部が天井向きとなるようにコアンダ羽根３２の姿勢を調整する。コアンダ羽根の先端部が天井向きになっているので、コアンダ羽根３２の湾曲面３２０に沿ったコアンダ気流は、ケーシング前面部から離れながら、且つ、天上向きに進むことができる。その結果、空気の天上吹きを実現し、且つ、ケーシング前面部の上方に吸込口があってもショートサーキットを防止することができる。
【０１１０】
（５−４）
空調室内機１０では、ケーシング前面部には、コアンダ羽根３２が収容される収容部１３０が形成されている。通常モードでは、コアンダ羽根３２が収容部１３０に収容され、ケーシング前面部とコアンダ羽根３２の湾曲面３２０とは１つの連続的な仮想曲面上に並ぶように湾曲している。それゆえ、コアンダ羽根３２収容時のケーシング前面部の見栄えがよく、意匠性の低下が抑制される。
【０１１１】
（５−５）
空調室内機１０では、コアンダ羽根３２の湾曲面３２０が、湾曲度合いの異なる複数の湾曲面３２０で形成されている。複数の湾曲面３２０で偏向度合いを徐々に高めることによって、コアンダ気流が湾曲面３２０から剥離することを抑制しつつ、吹出空気の方向からコアンダ気流の方向への偏向度合いを高めることができる。
【０１１２】
（５−６）
空調室内機１０では、制御部４０は、コアンダ気流の向きを変更するとき風向調整羽根３１およびコアンダ羽根３２の姿勢を制御する。風向調整羽根３１は吹出空気をコアンダ羽根３２の湾曲面３２０に近づく方向へ風向調整し、コアンダ羽根３２がその風向調整された吹出空気を自己の湾曲面３２０に沿ったコアンダ気流に変えるので、風向偏向効果が大きい。
【０１１３】
（５−７）
空調室内機１０では、制御部４０が、コアンダ効果利用モードにおいて、コアンダ羽根３２の後端部が下向き、先端部が上向きとなるようにコアンダ羽根３２の姿勢を調整する。コアンダ羽根３２の後端部が下向きであるので、スクロール自体の角度、つまり下向きの角度に近い角度となり、コアンダ羽根３２に吹出空気が沿いやすくなる。なお、仮に後端部が上向きならば、スクロール角度とのギャップが大きくなり、コアンダ羽根３２に吹出空気が沿わなくなる。
【０１１４】
また、コアンダ羽根３２の先端部が上向きで後端部が下向きであるので、風を捕まえるようにコアンダ羽根３２の後端部で気流を外側面３２ａに沿わせておき、段々と上向きに曲げていくことが可能となる。
【０１１５】
（５−８）
空調室内機１０では、コアンダ羽根３２の湾曲面３２０の半径が、５０ｍｍ以上、３００ｍｍ以下である。その結果、コアンダ気流が湾曲面３２０から剥離することを抑制しつつ、吹出空気の方向からコアンダ気流の方向への偏向度合いを高めることができる。
【０１１６】
（６）変形例
上記実施形態では、コアンダ羽根３２の湾曲面３２０は単一曲面で形成されているが、湾曲度合いの異なる複数の湾曲面で形成されてもよい。
【０１１７】
図９は、変形例に係る空調室内機１０のコアンダ羽根３２の側面図である。図９において、コアンダ羽根３２の湾曲面３２０は、半径Ｘ、半径Ｙ、および半径Ｚの３つ円弧面で形成されている。複数の円弧面で偏向度合いを徐々に高めることによって、コアンダ気流が湾曲面から剥離することを抑制しつつ、吹出空気の方向からコアンダ気流の方向への偏向度合いを高めることができる。
【産業上の利用可能性】
【０１１８】
本発明は、壁掛け式空調室内機に有用である。
【符号の説明】
【０１１９】
１０  空調室内機
１５  吹出口
１７  スクロール
３１  風向調整羽根
３２  コアンダ羽根
３２ａ  外側面（下面）
４０  制御部
１３０  収容部
３２０  湾曲面
【先行技術文献】
【特許文献】
【０１２０】
【特許文献１】特開２００３−２３２５３１号公報
【図１】
0005408227.tif 000002
【図２】
0005408227.tif 000003
【図３Ａ】
0005408227.tif 000004
【図３Ｂ】
0005408227.tif 000005
【図３Ｃ】
0005408227.tif 000006
【図３Ｄ】
0005408227.tif 000007
【図３Ｅ】
0005408227.tif 000008
【図４Ａ】
0005408227.tif 000009
【図４Ｂ】
0005408227.tif 000010
【図５Ａ】
0005408227.tif 000011
【図５Ｂ】
0005408227.tif 000012
【図６Ａ】
0005408227.tif 000013
【図６Ｂ】
0005408227.tif 000014
【図６Ｃ】
0005408227.tif 000015
【図７Ａ】
0005408227.tif 000016
【図７Ｂ】
0005408227.tif 000017
【図８Ａ】
0005408227.tif 000018
【図８Ｂ】
0005408227.tif 000019
【図９】
0005408227.tif 000020